(57)【特許請求の範囲】
【請求項１】
少なくとも基準となる音高の音を出力する基準音出力手段と、
訓練者の声を入力する声入力手段と、
前記声入力手段に入力された声の音高を求める音高検出手段と、
前記基準音出力手段から出力された音の音高と前記音高検出手段が求めた音高とを比較して音高一致または音高不一致を判断する音高判断手段と、
訓練者が、前記基準音出力手段から出力された音の音高と、自分が発声した声の音高とを比較することにより認識した音高一致または音高不一致の入力を受け付け、当該音高一致または音高不一致の入力を認識信号として認識判断手段へ出力する認識入力手段と、
前記音高判断手段の判断と、前記認識入力手段の認識信号とを照合して認識一致または認識不一致を判断する認識判断手段と、
前記認識判断手段が前記認識一致または前記認識不一致と判断したとき、正解を知らせる正解信号または不正解を知らせる不正解信号を出力する解答出力手段とを、
有することを特徴とする音痴改善トレーニング装置。
【請求項２】
前記基準音出力手段は、音高が同一または相違する、連続する２音以上の音を出力することを、特徴とする請求項１記載の音痴改善トレーニング装置。
【請求項３】
前記基準音出力手段は、音高が同一または相違する２音以上の音を同時に出力することを、特徴とする請求項１記載の音痴改善トレーニング装置。
【請求項４】
前記音高検出手段は、前記声入力手段に入力された声の音高および同一音高の持続時間を求め、
前記音高判断手段は、前記基準音出力手段から出力された音の音高と、前記音高検出手段が求めた同一音高の持続時間が所定時間以上の音高とを比較して音高一致または音高不一致を判断することを、
特徴とする請求項１，２または３記載の音痴改善トレーニング装置。
【請求項５】
前記解答出力手段は、前記音高判断手段の判断と、前記認識入力手段から出力される認識信号とが一致するとき、前記基準音出力手段から出力される音の音量を大きくして正解信号として出力することを、特徴とする請求項１，２，３または４記載の音痴改善トレーニング装置。
【請求項６】
前記基準音出力手段は、前記認識判断手段が前記認識不一致と判断したとき、前記音高検出手段が求めた音高の音を出力することを、特徴とする請求項１，２，３，４または５記載の音痴改善トレーニング装置。
【請求項７】
前記基準音出力手段は、前記認識判断手段が前記認識不一致と判断したとき、前記基準となる音の音高および前記音高検出手段が求めた音高と異なる音高の音を出力することを、特徴とする請求項１，２，３，４または５記載の音痴改善トレーニング装置。
【請求項８】
前記基準音出力手段は、前記音高検出手段が求めた音高の音を出力可能であることを、特徴とする請求項１乃至７のいずれか１項に記載の音痴改善トレーニング装置。
【請求項９】
コンピュータを、
少なくとも基準となる音高の音を出力する基準音出力手段、
訓練者の声を入力する声入力手段、
前記声入力手段に入力された声の音高を求める音高検出手段、
前記基準音出力手段から出力された音の音高と前記音高検出手段が求めた音高とを比較して音高一致または音高不一致を判断する音高判断手段、
訓練者が、前記基準音出力手段から出力された音の音高と、自分が発声した声の音高とを比較することにより認識した音高一致または音高不一致の入力を受け付け、当該音高一致または音高不一致の入力を認識信号として認識判断手段へ出力する認識入力手段、
前記音高判断手段の判断と、前記認識入力手段の認識信号とを照合して認識一致または認識不一致を判断する認識判断手段、および、
前記認識判断手段が前記認識一致または前記認識不一致と判断したとき、正解を知らせる正解信号または不正解を知らせる不正解信号を出力する解答出力手段として、
機能させるための音痴改善トレーニングプログラム。
【発明の詳細な説明】
【技術分野】
【０００１】
本発明は、音痴改善トレーニング装置および音痴改善トレーニングプログラムに関する。
【背景技術】
【０００２】
従来、音痴改善トレーニング方法として、訓練者に同一の音高で歌っているのか、異なる音高で歌っているのかを認知させ、訓練者にサポーターの音高と同じ音高で発声させる方法が本発明者により開発され、成果を上げている（例えば、非特許文献１参照）。
【０００３】
また、声楽における歌唱技法のファルセットまたは邦楽における裏声を訓練するため、裏声に表声を混ぜる発声法を客観的に評価する発声評価装置が開示されている（例えば、特許文献１、２参照）。
【先行技術文献】
【非特許文献】
【０００４】
【非特許文献１】小畑千尋著「「音痴」克服の指導に関する実践的研究」、多賀出版、２００７年２月１５日第1版第1刷発行、第１９７−１９８頁
【特許文献】
【０００５】
【特許文献１】特開２０１４−１３０２２７号公報
【特許文献２】特開２０１３−４５０３５号公報
【発明の概要】
【発明が解決しようとする課題】
【０００６】
しかしながら、非特許文献１の音痴改善トレーニング方法では、サポーターが訓練者に付いて指導する必要があるため、サポーターとトレーニングの予定を調整する必要があり、訓練に時間的制約を受けるという課題があった。また、トレーニングでは、音痴の歌声を他人に聴かれることになるため、心理的に抵抗があるという課題があった。
特許文献２，３の発声評価装置は、裏声に表声を混ぜる発声法のトレーニングは利用できても、音痴改善には向かないという課題があった。発声に関するトレーニングでは、音痴改善に限界があった。
【０００７】
本発明は、このような従来の課題に着目してなされたもので、訓練者が時間的制約を受けずに、かつ、他人に歌声を聴かれずに、自由に訓練することができるとともに、音痴改善の効果が高い音痴改善トレーニング装置および音痴改善トレーニングプログラムを提供することを目的とする。
【課題を解決するための手段】
【０００８】
上記目的を達成するために、本発明に係る音痴改善トレーニング装置は、少なくとも基準となる音高の音を出力する基準音出力手段と、訓練者の声を入力する声入力手段と、前記声入力手段に入力された声の音高を求める音高検出手段と、前記基準音出力手段から出力された音の音高と前記音高検出手段が求めた音高とを比較して音高一致または音高不一致を判断する音高判断手段と、訓練者が、前記基準音出力手段から出力された音の音高と、自分が発声した声の音高とを比較することにより認識した音高一致または音高不一致の入力を受け付け、当該音高一致または音高不一致の入力を認識信号として認識判断手段へ出力する認識入力手段と、前記音高判断手段の判断と、前記認識入力手段の認識信号とを照合して認識一致または認識不一致を判断する認識判断手段と、前記認識判断手段が前記認識一致または前記認識不一致と判断したとき、正解を知らせる正解信号または不正解を知らせる不正解信号を出力する解答出力手段とを、有することを特徴とする。
【０００９】
本発明に係る音痴改善トレーニングログラムは、コンピュータを、少なくとも基準となる音高の音を出力する基準音出力手段、訓練者の声を入力する声入力手段、前記声入力手段に入力された声の音高を求める音高検出手段、前記基準音出力手段から出力された音の音高と前記音高検出手段が求めた音高とを比較して音高一致または音高不一致を判断する音高判断手段、訓練者が、前記基準音出力手段から出力された音の音高と、自分が発声した声の音高とを比較することにより認識した音高一致または音高不一致の入力を受け付け、当該音高一致または音高不一致の入力を認識信号として認識判断手段へ出力する認識入力手段、前記音高判断手段の判断と、前記認識入力手段の認識信号とを照合して認識一致または認識不一致を判断する認識判断手段、および、前記認識判断手段が前記認識一致または前記認識不一致と判断したとき、正解を知らせる正解信号または不正解を知らせる不正解信号を出力する解答出力手段として、機能させることを特徴とする。
【００１０】
本発明に係る音痴改善トレーニング装置および音痴改善トレーニングログラムによれば、訓練者が基準となる音の音高に合わせて発声し、基準の音と音高一致か音高不一致かの認識を入力して、正解信号により認識が一致していたか否かを確認することができる。あるいは、訓練者が基準となる音の音高に対し、あえて異なる音高で発声し、基準の音と音高不一致の認識を入力して、正解信号により認識が一致していたか否かを確認してもよい。この内的フィードバックにより、音痴の改善を効果的に行うことができる。また、一人でもトレーニングできるため、訓練者は時間的制約を受けずに、かつ、他人に歌声を聴かれずに、自由に訓練することができる。
【００１１】
本発明において、基準となる音高の音は、人の声と同じ種類の音で構成されることが好ましい。声入力手段は、２以上から構成されていてもよい。例えば、声入力手段は、２人以上の訓練者が同時に別々に声を入力可能な２つ以上のマイクを有していてもよい。解答出力手段は、認識判断手段が認識不一致と判断したとき、不正解を知らせる不正解信号を出力することが好ましい。音高判断手段により判断される音高一致は、音高が完全に一致する場合のほか、基準となる音の音高から所定の音程の範囲で高い音高および低い音高を含んでいてもよい。例えば、短２度より小さい音程の相違は、音高一致と判断するように設定してもよい。
【００１２】
認識入力手段は、キーボード、マウス、タッチセンサ、マイク、傾きや動きの変化を検出する３軸加速度センサを備えたリモートコントローラ、その他いかなる入力方法を採用するものであってもよい。解答出力手段により出力される正解信号は、スピーカから出力される音、モニタに表示される画像、バイブレータの振動、その他いかなる出力信号であってもよい。解答出力手段は、傾きや動きの変化を検出する３軸加速度センサを備えたリモートコントローラによる手と連動した動きを、モニタに映像として示すものであってもよい。
【００１３】
本発明において、前記基準音出力手段は、音高が同一または相違する、連続する２音以上の音を出力するものであってもよい。
この場合、連続する２音以上の音の音高に合わせて発声するトレーニングができるため、より高い音痴改善効果を得ることができる。音高が相違する２音以上の音は、短２度より小さい音程であっても、それ以上の大きい音程であってもよい。
【００１４】
本発明において、前記基準音出力手段は、音高が同一または相違する２音以上の音を同時に出力するものであってもよい。
この場合、２音以上の同時に出力される音の音高に合わせて発声するトレーニングができるため、音痴改善効果がより高い。音高が相違する２音以上の音は、短２度より小さい音程であっても、それ以上の大きい音程であってもよい。
【００１５】
２音以上の同時に出力される音の音高がそれぞれ相違する場合には、音高判断手段は、前記基準音出力手段から出力された２音以上の音の音高と前記音高検出手段が求めた音高とを比較して、前記音高検出手段が求めた音高が前記基準音出力手段から出力された２音以上の音のいずれか１つの音高と一致したとき音高一致と判断するものであっても、あるいは、前記声入力手段に時間をずらして入力された声から前記音高検出手段が求めた２音以上の音の音高が、前記基準音出力手段から出力された２音以上の音のすべての音高と一致したとき、音高一致と判断するものであっても、音高検出手段が求めた音高が前記基準音出力手段から出力された２音以上の音のうち最も高い音高または最も低い音高と一致したとき、音高一致と判断するものであってもよい。
【００１６】
本発明において、前記音高検出手段は、前記声入力手段に入力された声の音高および同一音高の持続時間を求め、前記音高判断手段は、前記基準音出力手段から出力された音の音高と、前記音高検出手段が求めた同一音高の持続時間が所定時間以上の音高とを比較して音高一致または音高不一致を判断するものであってもよい。
【００１７】
この場合、同一音高の持続時間が所定時間以上となるよう発声しないと、音高一致と判断されないため、自然と音高を意識した発声となり、偶然、音高が一致して正解信号が出力されるのを防ぐことができる。このように、音高を特に意識したトレーニングができるため、より高い音痴改善効果を得ることができる。同一音高の持続時間は、例えば３秒間であるが、それより短時間でも長時間であってもよい。
【００２０】
本発明において、前記解答出力手段は、前記音高判断手段の判断と、前記認識入力手段から出力される認識信号とが一致するとき、前記基準音出力手段から出力される音の音量を大きくして正解信号として出力するものであってもよい。
この場合、基準音出力手段から出力される音の音量が大きくなることで音高の正解を知ることができるので、正解した音高を意識することができ、より高い音痴改善効果を得ることができる。
【００２１】
本発明において、前記基準音出力手段は、前記認識判断手段が前記認識不一致と判断したとき、前記音高検出手段が求めた音高の音を出力するものであってもよい。
この場合、声入力手段に入力された訓練者の声の音高の音が基準音出力手段から出力されるので、自分が発声した音高を意識することができ、より高い音痴改善効果を得ることができる。基準音出力手段から出力される音の種類は、人の声、ピアノの音など任意に設定できることが好ましい。
【００２２】
本発明において、前記基準音出力手段は、前記認識判断手段が前記認識不一致と判断したとき、前記基準となる音の音高および前記音高検出手段が求めた音高と異なる音高の音を出力するものであってもよい。
この場合、基準となる音の音高とも、訓練者自身が発声した音高とも異なる音高の音により、発声した音高を強く意識することができ、より高い音痴改善効果を得ることができる。
【００２３】
本発明において、前記基準音出力手段は、前記音高検出手段が求めた音高の音を出力可能であってもよい。
この場合、最初に訓練者が声入力手段に任意の音高の声を入力し、基準音出力手段がその訓練者の声などの音高の音を出力することができる。
【発明の効果】
【００２４】
本発明によれば、訓練者が時間的制約を受けずに、かつ、他人に歌声を聴かれずに、自由に訓練することができるとともに、音痴改善の効果が高い音痴改善トレーニング装置および音痴改善トレーニングプログラムを提供することができる。
【図面の簡単な説明】
【００２５】
【図１】本発明の実施の形態の音痴改善トレーニング装置の構成を示すブロック図である。
【図２】図１に示す音痴改善トレーニング装置の処理手順を示すフローチャートである。
【発明を実施するための形態】
【００２６】
以下、図面に基づき、本発明の実施の形態について説明する。
図１は、本発明の実施の形態の音痴改善トレーニング装置を示している。なお、本発明の実施の形態の音痴改善トレーニング装置は、音痴改善トレーニングプログラムを記録したハードディスク、ＣＤ−ＲＯＭ、メモリースティック、フレキシブルディスクなどのコンピュータ読み取り可能な記録媒体によりコンピュータに実行させることができる。
【００２７】
図１に示すように、コンピュータは、主制御部１０と、入力部２０と、演算判断部３０と、出力部４０と、記憶部５０とを有している。
主制御部１０は、ＣＰＵ等から構成され、各部の制御や、データの転送、種々の演算等を行う。
【００２８】
入力部２０は、声入力手段２１と認識入力手段２２とを有している。声入力手段２１は、マイクを有し、訓練者の声を入力するようになっている。認識入力手段２２は、キーボードを有し、音高一致または音高不一致の認識を入力して音高一致または音高不一致の認識信号を出力するようになっている。例えば、音高一致の認識の入力はテンキーの「１」の、音高不一致の認識の入力はテンキーの「０」のキー操作で行うことができる。また、音高不一致の認識の入力は、訓練者の声の音高が基準となる音高より高いか低いかを示すものであってもよい。
【００２９】
出力部４０は、基準音出力手段４１と解答出力手段４２とを有している。基準音出力手段４１は、スピーカーを有し、選択した種類の音、例えば人の声で基準となる音高の音を出力するようになっている。基準音出力手段４１は、音高が同一または相違する、連続する２音以上の音を出力することもできる。基準音出力手段４１は、音高が同一または相違する２音以上の音を同時に出力することもできる。
【００３０】
演算判断部３０は、ＣＰＵ等から構成され、音高検出手段３１と音高判断手段３２と認識判断手段３３と時間測定手段３４とを有している。音高検出手段３１は、周波数測定器を有し、声入力手段２１に入力された声の音高を求めるようになっている。音高判断手段３２は、基準音出力手段４１から出力された音の音高と音高検出手段３１が求めた音高とを比較して音高一致または不一致を判断し、判断結果を電気信号で出力するようになっている。
【００３１】
なお、認識入力手段２２が、音高不一致の認識として、訓練者の声の音高が基準となる音高より高いか低いかを入力することができるものの場合には、音高判断手段３２は、基準音出力手段４１から出力された音の音高と音高検出手段３１が求めた音高とを比較して、音高検出手段３１が求めた音高が基準音出力手段４１から出力された音の音高と一致したとき音高一致と判断し、出力された音の音高より高いとき、音高が高い音高不一致と判断し、出力された音の音高より低いとき、音高が低い音高不一致と判断するようにしてもよい。基準となる音高に対して音高不一致と判断する音高は、適宜設定可能であり、厳密に完全１度を音高一致としなくてもよい。
【００３２】
音高判断手段３２は、基準音出力手段４１から２音以上の音が同時に出力され、各音の音高がそれぞれ相違する場合には、基準音出力手段４１から出力された２音以上の音の音高と音高検出手段３１が求めた音高とを比較して、音高検出手段３１が求めた音高が基準音出力手段４１から出力された２音以上の音のいずれか１つの音高と一致したとき音高一致と判断する。あるいは、声入力手段２１に時間をずらして入力された声から音高検出手段３１が求めた２音以上の音の音高が、基準音出力手段４１から出力された２音以上の音のすべての音高と一致したとき、音高一致と判断するように設定することもできる。また、音高検出手段３１が求めた音高が基準音出力手段４１から出力された２音以上の音のうち最も高い音高または最も低い音高と一致したとき、音高一致と判断するように設定することもできる。
【００３３】
認識判断手段３３は、音高判断手段３２の判断と、認識入力手段２２の認識信号とを照合して認識一致または認識不一致を判断し、判断結果を電気信号で出力するようになっている。
なお、認識入力手段２２が、音高不一致の認識として、訓練者の声の音高が基準となる音高より高いか低いかを入力することができるものの場合には、認識判断手段３３は、音高判断手段３２の判断と、認識入力手段２２の認識信号とを照合して、音高判断手段３２が音高一致の判断で、認識入力手段２２が音高一致の入力のとき、音高判断手段３２が音高が高い音高不一致の判断で、認識入力手段２２が音高より高い音高不一致の入力のとき、および音高判断手段３２が音高が低い音高不一致の判断で、認識入力手段２２が音高より低い音高不一致の入力のとき、認識一致と判断し、それ以外のとき、認識不一致と判断し、判断結果を電気信号で出力するようになっている。
時間測定手段３４は、同一音高の持続時間または所定の音量以上の同一音高の持続時間を求めるようになっている。
【００３４】
基準音出力手段４１は、認識判断手段３３が認識不一致と判断したとき、音高検出手段３１が求めた音高の音を出力するように設定することもできる。また、基準音出力手段４１は、認識判断手段３３が認識不一致と判断したとき、基準となる音の音高および音高検出手段３１が求めた音高と異なる音高の音を出力するように設定することもできる。
【００３５】
解答出力手段４２は、スピーカーおよびモニターを有し、認識判断手段３３が前記認識一致と判断したとき、正解を知らせる正解信号を出力するようになっている。解答出力手段４２は、音高判断手段３２の判断と、認識入力手段２２から出力される認識信号とが一致するとき、基準音出力手段４１から出力される音の音量を大きくして正解信号として出力することもできる。
【００３６】
記憶部５０は、ハードディスクメモリを有し、基準音記憶手段５１と声記憶手段５２とを有している。基準音記憶手段５１は、基準となる音高の音を、それぞれ音高が少しずつ異なる音や、種類の異なる音、例えば、女性の声、男性の声、声入力手段２１から入力された訓練者の声、犬の鳴き声、ピアノの音などで多数、記憶している。基準音記憶手段５１は女性の声や男性の声などの声の種類と、種々の音高とを記憶し、記憶された声の種類から選択された声と、記憶された種々の音高から選択された音高とを合成して、基準音出力手段４１から出力するようになっていてもよい。
【００３７】
声記憶手段５２は、声入力手段２１に入力された訓練者の声を基準音出力手段４１から出力された音と関連づけて記憶している。声記憶手段５２に記憶された訓練者の声は、関連して基準音出力手段４１から出力された音とともに、基準音出力手段４１から出力し、再確認することができる。
【００３８】
次に、図２のフローチャートを参照しながら、音痴改善トレーニング装置の処理手順について説明する。
【００３９】
コンピュータにより処理を開始する（ステップ６１）と、基準音出力手段４１は予め設定した条件に基づき、基準音記憶手段５１に記憶された、基準となる音高の音の中から選択した音（例えば、「ド」の音）を人の声などで出力する（ステップ６２）。訓練者は、基準音出力手段４１から出力された音の「ド」の音高に合わせた音高で発声し、声入力手段２１に入力する（ステップ６３）。音高検出手段３１は、声入力手段２１に入力された声の音高を求める（ステップ６４）。
【００４０】
音高判断手段３２は、基準音出力手段４１から出力された音の音高と音高検出手段３１が求めた音高とを比較して音高一致または不一致を判断し、判断結果を電気信号で出力する（ステップ６５）。訓練者は、基準音出力手段４１から出力された音の音高と、自分が発声した声の音高とを比較して、音高一致または音高不一致の認識をキーボードで入力する（ステップ６６）。
【００４１】
認識判断手段３３は、音高判断手段３２から判断結果の電気信号を受け、音高判断手段３２の判断と、認識入力手段２２の認識信号とを照合して認識一致または認識不一致を判断し、判断結果を電気信号で出力する（ステップ６７）。例えば、基準の音の音高と訓練者の声の音高が一致している場合に、訓練者が同じく音高一致の認識を入力した場合には、認識一致と判断する。また、基準の音の音高と訓練者の声の音高が不一致の場合に、訓練者が同じく音高不一致の認識を入力した場合にも、認識一致と判断する。認識一致と判断した場合、解答出力手段４２は正解信号を出力し（ステップ６８）、終了となる（ステップ６９）。
【００４２】
基準の音の音高と訓練者の声の音高が不一致の場合に、訓練者が音高一致の認識を入力した場合には、認識不一致と判断する。また、基準の音の音高と訓練者の声の音高が一致している場合に、訓練者が音高不一致の認識を入力した場合にも、認識不一致と判断する。認識不一致と判断した場合、基準音出力手段４１から新たな音高の音を出力し、処理を繰り返す。
【００４３】
このように、音痴改善トレーニング装置によれば、訓練者が基準となる音の音高に合わせて発声し、基準の音と音高一致か音高不一致かの認識を入力して、正解信号により認識が一致していたか否かを確認することができる。この内的フィードバックにより、音痴の改善を効果的に行うことができる。また、一人でもトレーニングできるため、訓練者は時間的制約を受けずに、かつ、他人に歌声を聴かれずに、自由に訓練することができる。
【００４４】
なお、認識判断手段３３が認識不一致と判断したとき（ステップ６７）、基準音出力手段４１から音高検出手段３１が求めた音高の音を出力するようにした場合には、声入力手段２１に入力された訓練者の声の音高の音が基準音出力手段４１から出力されるので、自分が発声した音高を意識することができ、より高い音痴改善効果を得ることができる。
【００４５】
また、認識判断手段３３が認識不一致と判断したとき（ステップ６７）、基準音出力手段４１から、基準となる音の音高および音高検出手段３１が求めた音高と異なる音高の音を出力するようにした場合には、基準となる音の音高とも、訓練者自身が発声した音高とも異なる音高の音により、発声した音高を強く意識することができ、より高い音痴改善効果を得ることができる。
【００４６】
音痴改善トレーニング装置で、基準音出力手段４１に、音高が同一または相違する、連続する２音以上の音（例えば、「ド」の音と「レ」の音）を出力させた場合には（ステップ６２）、連続する２音以上の音の音高に合わせて発声するトレーニングができるため、より高い音痴改善効果を得ることができる。連続する２音以上の音としては、長２度以上の音程と、短２度の音程と、完全１度（同一音高）の組み合わせが好ましい。
【００４７】
基準音出力手段４１に、音高が同一または相違する２音以上の音を同時に出力させた場合には（ステップ６２）、２音以上の同時に出力される音の音高に合わせて発声するトレーニングができるため、音痴改善効果がより高い。２音以上の同時に出力される音としては、長２度以上の音程と、短２度の音程と、完全１度（同一音高）の組み合わせが好ましい。
【００４８】
また、解答出力手段４２が、音高判断手段３２の判断と認識入力手段２２から出力される認識信号とが一致するとき、基準音出力手段４１から出力される音の音量を大きくして正解信号として出力する場合には（ステップ６８）、基準音出力手段４１から出力される音の音量が大きくなることで音高の正解を知ることができるので、正解した音高を意識することができ、より高い音痴改善効果を得ることができる。
【００４９】
音痴改善トレーニング装置で、音高検出手段３１は、時間測定手段３４の測定値に基づき、声入力手段２１に入力された声の音高および同一音高の持続時間を求めるように設定してもよい（ステップ６４）。この場合、音高判断手段３２は、基準音出力手段４１から出力された音の音高と、音高検出手段３１が求めた同一音高の持続時間が所定時間以上（例えば、３秒以上）の音高とを比較して音高一致または音高不一致を判断するようにする（ステップ６５）。
【００５０】
このような構成では、同一音高の持続時間が所定時間以上となるよう発声しないと、音高一致と判断されないため、自然と音高を意識した発声となり、偶然、音高が一致して正解信号が出力されるのを防ぐことができる。このように、音高を特に意識したトレーニングができるため、より高い音痴改善効果を得ることができる。
【００５１】
音痴改善トレーニング装置で、音高検出手段３１は、時間測定手段３４の測定値に基づき、声入力手段２１に入力された声の音高、音量および所定の音量以上の同一音高の持続時間を求めるように設定してもよい（ステップ６４）。この場合、認識入力手段２２は、音高検出手段３１が求めた所定の音量以上の同一音高の持続時間が所定時間以上のとき、訓練者の声が基準音出力手段４１から出力される音の音高と一致することを示す音高一致の認識信号を出力するものであってもよい（ステップ６６）。
【００５２】
この場合、所定の音量以上の同一音高の持続時間が所定時間以上となるよう発声しないと、音高一致と判断されないため、自然と音高および声量を意識した発声となり、偶然、音高が一致して正解信号が出力されるのを防ぐことができる。このように、音高および声量を特に意識したトレーニングができるため、より高い音痴改善効果を得ることができる。
【００５３】
音痴改善トレーニング装置は、コンピュータゲーム機、カラオケ装置、多機能携帯電話、カーステレオ装置、パーソナルコンピュータなどに組み込まれて利用されてもよい。
【符号の説明】
【００５４】
１０  主制御部
２０  入力部
２１  声入力手段
２２  認識入力手段
３０  演算判断部
３１  音高検出手段
３２  音高判断手段
３３  認識判断手段
３４  時間測定手段
４０  出力部
４１  基準音出力手段
４２  解答出力手段
５０  記憶部
５１  基準音記憶手段
５２  声記憶手段
【要約】
【課題】訓練者が時間的制約を受けずに、かつ、他人に歌声を聴かれずに、自由に訓練することができるとともに、音痴改善の効果が高い音痴改善トレーニング装置および音痴改善トレーニングプログラムを提供する。
【解決手段】基準音出力手段から基準となる音高の音を出力する。声入力手段に訓練者の声を入力する。音高検出手段が声入力手段に入力された声の音高を求める。音高判断手段が基準音出力手段から出力された音の音高と音高検出手段が求めた音高とを比較して音高一致または不一致を判断する。認識入力手段が音高一致または音高不一致の認識を入力して音高一致または音高不一致の認識信号を出力する。認識判断手段が音高判断手段の判断と、認識入力手段の認識信号とを照合して認識一致または認識不一致を判断する。解答出力手段が認識判断手段が認識一致または認識不一致と判断したとき、正解または不正解を知らせる。
【選択図】図１【図１】
0005794507.tif 000002
【図２】
0005794507.tif 000003